(57)【要約】【課題】簡易な構造により正確に且つ簡便に攪拌翼の回転数を測定することが可能な構造を備える攪拌装置を提供する。【解決手段】この攪拌装置は、回転軸２０の回転を測定する回転計９が、第１平歯車１、第２平歯車２、回転軸３および可撓軸８を介して回転軸２０に連結されている。これにより、攪拌槽内の攪拌物の反応等に基づく攪拌抵抗の大小に関係なく、随時回転軸２０の回転を正確に測定することが可能となる。その結果、攪拌槽内の化学反応速度を適切に管理しながら、最適な条件下で、攪拌物の攪拌・混合を実現させることが可能となる。【選択図】図１
2009160544.tif 000002
【特許請求の範囲】
【請求項１】
攪拌槽内に攪拌翼を備えた攪拌装置であって、
前記攪拌翼が固定され、前記攪拌翼を軸心周りに沿って回転させるための第１回転軸と、
前記第１回転軸と同軸に設けられ、前記回転軸の外周面に設けられる第１平歯車と、
前記第１平歯車に噛み合う第２平歯車と、
前記第２平歯車と同軸に設けられる第２回転軸と、
前記第２回転軸に連結され、前記第１平歯車および前期第２平歯車により伝達される前記第１回転軸の回転数を観測するための回転計と、
を備える、攪拌装置。
【請求項２】
前記第２回転軸と前記回転計とは、たわみ軸により前記第２回転軸の回転が前記回転計に伝達される、請求項１記載の攪拌装置。
【請求項３】
前記回転計は、機械式回転計である、請求項１または２記載の攪拌装置。
【発明の詳細な説明】
【技術分野】
【０００１】
この発明は、液状物質、スラリー状物質等の、攪拌による混合や反応を目的とする攪拌装置の構造に関する。
【背景技術】
【０００２】
攪拌装置として、下記特許文献１に開示されるものが挙げられる。この攪拌装置を図２に示す。この攪拌装置は、円筒の攪拌槽１０を有している。攪拌槽１０の内部には、小型の傾斜攪拌翼６０が複数取り付けられたアーム４０が配設されている。アーム４０の上端部には、軸継手３０を介して回転軸２０が連結されている。アーム４０の下端部には、大型の垂直攪拌翼７０が取り付けられている。また、攪拌槽１０の内壁面には、バッフルプレート８０が取り付けられている。
【０００３】
上記構成からなる攪拌装置においては、回転軸２０が駆動装置（図示省略）を用いて回転させられることにより、傾斜攪拌翼６０、垂直攪拌翼７０、および、バッフルプレート８０の相互作用により、攪拌槽１０内に旋回流が生じ、攪拌槽１０内において上昇流および下降流が形成されることで、攪拌槽１０内において、攪拌混合物の攪拌・混合が行なわれる。
【０００４】
ここで、傾斜攪拌翼６０および垂直攪拌翼７０の回転数は、化学反応速度などに大きな影響を与えることから、攪拌翼の回転数を正確、迅速に求めることは重要である。下記特許文献１おいては、回転翼の駆動装置にトルク計を設置して、攪拌混合物の攪拌・混合中のトルクを計測し、間接的に攪拌翼の回転数を求める方法が開示されている。また、他の方法としては、携行型の非接触回転数計を用いて、回転軸２０の回転数を測定する方法が挙げられる。
【０００５】
しかし、駆動装置のトルクから間接的に攪拌翼の回転数を求める方法においては、予め、トルクと攪拌翼の回転数との相関を測定しておく必要があり、その準備作業が煩雑であるという問題が懸念される。また、携行型の非接触回転数計を用いる場合には、回転軸２０等の回転機器に非接触回転数計を近づける作業が必要となるため、常時回転数を計測しなければならないような攪拌作業には不向きである。
【特許文献１】特開平０６−１９８１５４号公報
【発明の開示】
【発明が解決しようとする課題】
【０００６】
この発明が解決しようとする課題は攪拌装置において、攪拌翼の回転数を容易に且つ簡便に求めることができない点にある。したがって、この発明の目的は、簡易な構造により正確に且つ簡便に攪拌翼の回転数を測定することが可能な構造を備える攪拌装置を提供することにある。
【課題を解決するための手段】
【０００７】
この発明に基づいた攪拌装置においては、攪拌槽内に攪拌翼を備えた攪拌装置であって、上記攪拌翼が固定され、上記攪拌翼を軸心周りに沿って回転させるための第１回転軸と、上記第１回転軸と同軸に設けられ、上記回転軸の外周面に設けられる第１平歯車と、上記第１平歯車に噛み合う第２平歯車と、上記第２平歯車と同軸に設けられる第２回転軸と、上記第２回転軸に連結され、上記第１平歯車および上期第２平歯車により伝達される上記第１回転軸の回転数を観測するための回転計とを備える。
【発明の効果】
【０００８】
この発明に基づいた攪拌装置によれば、回転軸の回転を測定する回転計が、回転軸に連結されている。これにより、攪拌槽内の攪拌物の反応等に基づく攪拌抵抗の大小に関係なく、随時回転軸の回転を正確に測定することが可能となる。その結果、攪拌槽内の化学反応速度を適切に管理しながら、最適な条件下で、攪拌物の攪拌・混合を実現させることが可能となる。
【発明を実施するための最良の形態】
【０００９】
以下、この発明に基づいた実施の形態における攪拌装置について図１を参照しながら説明する。なお、本実施の形態における攪拌装置は、攪拌槽１０内に攪拌翼６０，７０を備えた第１回転軸としての回転軸２０の回転を測定する回転計９を備えていることを特徴とし、攪拌装置そのものの構成は、背景技術に示す構造と同じである。したがって、ここでは、背景技術において説明した部分と同一または相当部分については、同一の参照番号を付し、重複する説明は繰り返さず、回転計に関する構成のみを詳細に説明する。
【００１０】
第１回転軸である回転軸２０には、この回転軸２０と同軸に設けられ、回転軸２０の外周面にボルト等の固定部材を用いて第１平歯車１が取り付けられている。また、その回転軸が回転軸２０と並行となるように、第１平歯車１に噛み合う第２平歯車２が配置されている。この第２平歯車２には、この第２平歯車２と同軸に設けられる第２回転軸としての回転軸３が設けられ、軸受箱５に収容された軸受４，４により回転可能に軸支持されている。なお、第１平歯車１と第２平歯車２との間のギヤ比（歯車比）は、後述する回転計９の仕様により決定される。
【００１１】
回転軸３の他端には、接続金具６を介してエルボ継手７が連結され、このエルボ継手７の他端には、可撓軸（フレキシブル・シャフト）８が連結されている。この可撓軸８はチューブ８ａ内に回転を伝達するためのコア回転軸８ｂが挿入されている。可撓軸８の他端には、回転計９が連結されている。ここで、この回転計９には、攪拌層１０での化学反応に対する引火を未然に回避する観点から（防爆型）、機械式の回転計が用いられることが好ましい。また、可撓軸８を用いることで、攪拌層１０の近傍でなくても、攪拌層１０から離れた場所においても、回転軸２０の回転数を観測することができる。
【００１２】
以上、この実施の形態における攪拌装置によれば、回転軸２０の回転を測定する回転計９が、第１平歯車１、第２平歯車２、回転軸３および可撓軸８を介して回転軸２０に連結されている。これにより、攪拌槽１０内の攪拌物の反応等に基づく攪拌抵抗の大小に関係なく、随時回転軸２０の回転を正確に測定することが可能となる。その結果、攪拌槽１０内の化学反応速度を適切に管理しながら、最適な条件下で、攪拌物の攪拌・混合を実現させることが可能となる。
【００１３】
以上、本発明に基づく実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００１４】
【図１】この発明に基づいた実施の形態における攪拌装置の特徴的部分を示す図である。
【図２】背景技術における攪拌装置の内部構造を示す図である。
【符号の説明】
【００１５】
１  第１平歯車、２  第２平歯車、３  回転軸、４  軸受、５  軸受箱、６  接続金具、７  エルボ継手、８  可撓軸（フレキシブル・シャフト）、８ａ  チューブ、８ｂ  コア回転軸、９  回転計、１０  攪拌槽、２０  回転軸、３０  軸継手、４０  アーム、６０  傾斜攪拌翼、７０  垂直攪拌翼、８０  バッフルプレート。
【図１】
2009160544.tif 000003
【図２】
2009160544.tif 000004